(57)【要約】      （修正有）【課題】カード作製にあたって、発行の適否判断が必要な場合、カード作製のための時間を短縮することができ、カード作製にあたって全体としての作業効率を向上させる。【解決手段】各個人のＩＤ情報に基づいて、データベース１２から表面情報、裏面情報がプリンタ制御部の表裏面情報出力部１４に送られ、顔画像情報生成部１３から顔画像情報が表裏面情報出力部１４に送られる。表裏面情報出力部１４から送られる表面情報、裏面情報、ＩＤ情報、顔画像情報に基づいて、ＩＣカード用書込機能付プリンタ１５の画像情報印字部によってＩＣカードの表面に顔画像情報が印字され、文字情報印字部によって表面情報およびＩＤ情報が印字された後、ＩＣカードは待機する。追加ＩＤ情報入力部４１からの情報に基づいて、カード発行の適否が判定され、その後ＩＣカードに対して下流側処理部による処理が行われる。【選択図】図１
2011088291.tif 000002
【特許請求の範囲】
【請求項１】
カードに個人の情報を印字するカードの印字システムにおいて、
多数のカードを蓄積して順次排出するカードホッパと、
カードホッパ下流側に設けられ、カードホッパから送られるカードの表面に画像情報を印字する画像情報印字部と、
画像情報印字部の下流側に設けられ、カードの表面に文字情報を印字する文字情報印字部と、
文字情報印字部の下流側に設けられ、カードに対して下流側処理を施す下流側処理部と、
各個人のＩＤ情報が入力されるＩＤ情報入力部と、
各個人の追加ＩＤ情報が入力される追加ＩＤ情報入力部と、
ＩＤ情報入力部からのＩＤ情報に対応する文字情報、画像情報および追加ＩＤ情報入力部からの追加ＩＤ情報に基づいて、カードホッパ、画像情報印字部、文字情報印字部、および下流側処理部を制御する制御部とを備え、
制御部はカードホッパから送られてくるカードに対して、文字情報および画像情報に基づいて画像情報印字部および文字情報印字部における処理を行った後、カードを待機させ、追加ＩＤ情報に基づいてカード発行の適否を判断し、カード発行が適切な場合にカードに対する下流側処理部による処理を行うことを特徴とするカードの印字システム。
【請求項２】
カードはＩＣチップを含むＩＣカードからなり、
下流側処理部はＩＣカードのＩＣチップ内に各個人の情報を書込むリーダライタと、ＩＣカードに対してホログラム層を形成するホログラム層形成部と、ＩＣカードに対して保護シートを形成する保護シート形成部とを有することを特徴とする請求項１記載のカードの印字システム。
【請求項３】
カードはＩＣチップを含まない非ＩＣカードからなり、
下流側処理部は非ＩＣカードに対してホログラム層を形成するホログラム層形成部と、非ＩＣカードに対して保護層を形成する保護シート形成部とを有することを特徴とする請求項１記載のカードの印字システム。
【請求項４】
下流側処理部はカード破砕部を有し、制御部は追加ＩＤ情報に基づいてカード発行を行わないと判断した場合、当該カードをカード破砕部により破砕することを特徴とする請求項１記載のカードの印字システム。
【請求項５】
カードに個人の情報を印字するカードの印字システムにおいて、
多数のカードを蓄積して順次排出するカードホッパと、
カードホッパ下流側に設けられ、画像情報と文字情報が印字された転写シートを作製し、この転写シートを用いてカードホッパから送られるカードの表面に画像情報と文字情報を転写する転写プリント部と、
転写プリント部の下流側に設けられ、カードに対して下流側処理を施す下流側処理部と、
各個人のＩＤ情報が入力されるＩＤ情報入力部と、
各個人の追加ＩＤ情報が入力される追加ＩＤ情報入力部と、
ＩＤ情報入力部からのＩＤ情報に対応する文字情報、画像情報および追加ＩＤ情報入力部からの追加ＩＤ情報に基づいて、カードホッパ、転写プリント部および下流側処理部を制御する制御部とを備え、
制御部は文字情報および画像情報に基づいて転写プリント部における転写シートを作製した後、転写プリント上流側でカードを待機させ、追加ＩＤ情報に基づいてカード発行の適否を判断し、カード発行が適切な場合にカードに対する転写シートの転写作業および下流側処理部による処理を行うことを特徴とするカードの印字システム。
【請求項６】
カードはＩＣチップを含むＩＣカードからなり、
カードホッパと転写プリント部との間に、ＩＣカードのＩＣチップ内に各個人の情報を書込むリーダライタが設けられ、
下流側処理部はＩＣカードに対してホログラム層を形成するホログラム層形成部と、ＩＣカードに対して保護シートを形成する保護シート形成部とを含むことを特徴とする請求項５記載のカードの印字システム。
【請求項７】
カードはＩＣチップを含まない非ＩＣカードからなり、
下流側処理部は非ＩＣカードに対してホログラム層を形成するホログラム層形成部と、非ＩＣカードに対して保護層を形成する保護シート形成部とを有することを特徴とする請求項５記載のカードの印字システム。
【請求項８】
下流側処理部は転写シート破砕部を有し、制御部は追加ＩＤ情報に基づいてカード発行を行わないと判断した場合、転写シートを転写シート破砕部により破砕することを特徴とする請求項５記載のカードの印字システム。
【請求項９】
制御部はカードホッパを制御して、カードホッパ内のカードを出口まで排出した後カードを待機させ、文字情報および画像情報が入力された後、カードを出口から次工程側へ送ることを特徴とする請求項１乃至８のいずれか記載のカードの印字システム。
【発明の詳細な説明】
【技術分野】
【０００１】
本発明は社員カード、銀行カード、運転免許証等のＩＣカードを作製するため、ＩＣカードに対して必要な文字および顔画像を印字するとともにＩＣチップに必要な情報を書き込むカードの印字システムに関する。
【背景技術】
【０００２】
従来よりＩＣカードを作製する場合、ＩＣカード用書込機能付プリンタを用いて、ＩＣチップを含むＩＣカードの表面に必要な文字および顔画像を印字し、更にこれら必要な情報をＩＣカードのＩＣチップ内に書き込んでいる。
【０００３】
ところで、ＩＣカードの作製にあたり、まず作製すべき各個人のＩＤ情報が必要となる。ＩＣカード用書込機能付プリンタでは、この各個人のＩＤ情報に基づいてＩＣカードを順次作製していく。
【０００４】
他方、ＩＣカードの発行にあたり、各個人のＩＤ情報のみではなく、各個人の追加情報、例えば新たなＩＣカード発行に関する適否判断が必要な場合もある。
【０００５】
このような場合、各個人のＩＤ情報のみでＩＣカードを作製することは可能であるが、ＩＣカード発行の適否判断後にＩＣカードの作製をスタートさせると、ＩＣカード作製のために長時間を要することになり、全体の作業効率が著しく低下する。
【先行技術文献】
【特許文献】
【０００６】
【特許文献１】特開平８−２４４３８６号
【発明の概要】
【発明が解決しようとする課題】
【０００７】
本発明はこのような点を考慮してなされたものであり、カードを発行する適否判断が必要な場合であっても、カード作製の時間を短縮化して、ＩＣカード作製のための全体的な作業効率を向上させることができるカードの印字システムを提供することを目的とする。
【課題を解決するための手段】
【０００８】
本発明は、カードに個人の情報を印字するカードの印字システムにおいて、多数のカードを蓄積して順次排出するカードホッパと、カードホッパ下流側に設けられ、カードホッパから送られるカードの表面に画像情報を印字する画像情報印字部と、画像情報印字部の下流側に設けられ、カードの表面に文字情報を印字する文字情報印字部と、文字情報印字部の下流側に設けられ、カードに対して下流側処理を施す下流側処理部と、各個人のＩＤ情報が入力されるＩＤ情報入力部と、各個人の追加ＩＤ情報が入力される追加ＩＤ情報入力部と、ＩＤ情報入力部からのＩＤ情報に対応する文字情報、画像情報および追加ＩＤ情報入力部からの追加ＩＤ情報に基づいて、カードホッパ、画像情報印字部、文字情報印字部、および下流側処理部を制御する制御部とを備え、制御部はカードホッパから送られてくるカードに対して、文字情報および画像情報に基づいて画像情報印字部および文字情報印字部における処理を行った後、カードを待機させ、追加ＩＤ情報に基づいてカード発行の適否を判断し、カード発行が適切な場合にカードに対する下流側処理部による処理を行うことを特徴とするカードの印字システムである。
【０００９】
本発明は、カードはＩＣチップを含むＩＣカードからなり、下流側処理部はＩＣカードのＩＣチップ内に各個人の情報を書込むリーダライタと、ＩＣカードに対してホログラム層を形成するホログラム層形成部と、ＩＣカードに対して保護シートを形成する保護シート形成部とを有することを特徴とするカードの印字システムである。
【００１０】
本発明は、カードはＩＣチップを含まない非ＩＣカードからなり、下流側処理部は非ＩＣカードに対してホログラム層を形成するホログラム層形成部と、非ＩＣカードに対して保護層を形成する保護シート形成部とを有することを特徴とするカードの印字システムである。
【００１１】
本発明は、下流側処理部はカード破砕部を有し、制御部は追加ＩＤ情報に基づいてカード発行を行わないと判断した場合、当該カードをカード破砕部により破砕することを特徴とするカードの印字システムである。
【００１２】
本発明は、カードに個人の情報を印字するカードの印字システムにおいて、多数のカードを蓄積して順次排出するカードホッパと、カードホッパ下流側に設けられ、画像情報と文字情報が印字された転写シートを作製し、この転写シートを用いてカードホッパから送られるカードの表面に画像情報と文字情報を転写する転写プリント部と、転写プリント部の下流側に設けられ、カードに対して下流側処理を施す下流側処理部と、各個人のＩＤ情報が入力されるＩＤ情報入力部と、各個人の追加ＩＤ情報が入力される追加ＩＤ情報入力部と、ＩＤ情報入力部からのＩＤ情報に対応する文字情報、画像情報および追加ＩＤ情報入力部からの追加ＩＤ情報に基づいて、カードホッパ、転写プリント部および下流側処理部を制御する制御部とを備え、制御部は文字情報および画像情報に基づいて転写プリント部における転写シートを作製した後、転写プリント部内でカードを待機させ、追加ＩＤ情報に基づいてカード発行の適否を判断し、カード発行が適切な場合にカードに対する転写シートの転写作業および下流側処理部による処理を行うことを特徴とするカードの印字システムである。
【００１３】
本発明は、カードはＩＣチップを含むＩＣカードからなり、カードホッパと転写プリント部との間に、ＩＣカードのＩＣチップ内に各個人の情報を書込むリーダライタが設けられ、下流側処理部はＩＣカードに対してホログラム層を形成するホログラム層形成部と、ＩＣカードに対して保護シートを形成する保護シート形成部とを含むことを特徴とするカードの印字システムである。
【００１４】
本発明は、下流側処理部は転写シート破砕部を有し、制御部は追加ＩＤ情報に基づいてカード発行を行わないと判断した場合、転写シートを転写シート破砕部により破砕することを特徴とするカードの印字システムである。
【００１５】
本発明は、制御部はカードホッパを制御して、カードホッパ内のカードを出口まで排出した後カードを待機させ、文字情報および画像情報が入力された後、カードを出口から次工程側へ送ることを特徴とするカードの印字システムである。
【発明の効果】
【００１６】
以上説明したように本発明によれば、カードを作製するにあたって発行の適否判断が必要な場合であっても、カード作製のための時間を短縮化することができ、カード作製にあたって全体として作業効率を向上させることができる。
【図面の簡単な説明】
【００１７】
【図１】図１は本発明によるカードの印字システムの第１の実施の形態を示すブロック図。
【図２】図２は本発明によるカードの印字システムに組込まれたＩＣカード用書込機能付プリンタを示す図。
【図３】図３（ａ）はＩＣカードの表面を示す図、図３（ｂ）はＩＣカードの裏面を示す図、図３（ｃ）は追記情報ラベルを示す図。
【図４】図４はカードの印字システムの第２の実施の形態を示すブロック図。
【図５】図５は第２の実施の形態におけるＩＣカード用書込機能付プリンタを示す図。
【図６】図６は転写プリント部を示す図。
【発明を実施するための形態】
【００１８】
第１の実施の形態
以下、図面を参照して本発明の第１の実施の形態について説明する。
【００１９】
図１乃至図３は本発明によるカードの印字システムの一実施の形態を示す図である。
【００２０】
本発明によるカードの印字システムは、図３（ａ）（ｂ）（ｃ）に示すようなＩＣチップ１ａを含むＩＣカード１の表面２に対して各個人の必要な表面情報２ａおよび顔画像情報２ｂを印字するとともに、ＩＣカードの裏面３に対して裏面情報３ａを印字し、ＩＣチップ１ａ内に表面情報２ａおよび裏面情報３ａを書込んで、例えば社員カード、銀行カード、運転免許証等のＩＣカードを作製するものである。この場合、裏面情報のうちＩＣカード裏面に印字できない追記情報５ａは、追記情報ラベル５に印字される。このうち、表面情報２ａおよび裏面情報３ａにより文字情報が構成される。
【００２１】
ここで必要な表面情報２ａとは、当該個人の氏名、および住所等が考えられる。また裏面情報３ａとは表面に書き込めない住所の詳細情報が考えられ、さらに追記情報ラベル５に表記される追記情報５ａとは個人の詳細な運転条件等が考えられる。またＩＣカード１の表面２に個人のＩＤ番号（ＩＤ情報）２ｃも、印字されている。
【００２２】
このようなＩＣカードの印字、書込システム１０は図１に示すように、ＩＣカードの印字、書込みを行なう必要がある個人のＩＤ情報２ｃが入力されるＩＤ情報入力部１１と、多数の個人の表面情報２ａおよび裏面情報３ａがＩＤ情報２ｃとともに蓄えられ、ＩＤ情報入力部１１からのＩＤ情報２ｃに基づいて、当該ＩＤ情報に対応する個人のＩＤ情報２ｃ、表面情報２ａ、および裏面情報３ａを出力するデータベース１２と、ＩＤ情報入力部１１からのＩＤ情報２ｃに基づいて、このＩＤ情報２ｃに対応した顔画像情報２ｂを生成する顔画像生成手段１３とを備えている。
【００２３】
このうち顔画像生成手段１３はカメラ等の撮影装置、または予め作成された顔画像を電子データとして取込んで顔画像情報を生成する装置からなっている。
【００２４】
またデータベース１２および顔画像情報生成部１３に、データベース１２からのＩＤ情報２ｃに対応する表面情報２ａおよび裏面情報３ａが送られるとともに、顔画像情報生成部１３からの顔画像情報２ｂが送られる表裏面情報出力部１４が接続され、さらに表裏面情報出力部１４に、ＩＤ情報２ｃ、表面情報２ａ、裏面情報３ａ、および顔画像情報２ｂに基づいて、ＩＣカード１の表面２に表面情報２ａ、顔画像情報２ｂおよびＩＤ情報２ｃを印字するとともに、ＩＣカード１の裏面３に裏面情報３ａを印字するＩＣカード用書込機能付プリンタ１５が接続されている。
【００２５】
このＩＣカード用書込機能付プリンタ１５においては、ＩＣカード１のＩＣチップ１ａ内に、表面情報２ａおよび裏面情報３ａが書込まれる。
【００２６】
さらにＩＣカード用書込機能付プリンタ１５の下流側には、ＩＣカード１のＩＣチップ１ａ内に書き込まれた表面情報２ａおよび裏面情報３ａを読み取ってその内容を確認する第２リーダライタ（確認用リーダライタ）１７が接続されている。
【００２７】
さらにこの第２リーダライタ１７には、ＩＣカード１のＩＣチップ１ａから裏面情報３ａを読み取り、裏面情報３ａのうちＩＣカード１の裏面３に印字できない追記情報５ａを印字して追記情報ラベル５を作製するとともに、この追記情報ラベル５を発行する追記情報ラベル発行部１８が接続されている。
【００２８】
また上述したＩＤ情報入力部１１とは独立して、追加ＩＤ情報入力部４１が設けられている。この追加ＩＤ情報入力部４１にはＩＣカード１を発行すべきか否かの判定に関する情報が入力され、追加ＩＤ情報入力部４１からの情報はＩＣカード発行判定部４２に送られる。そしてＩＣカード発行判定部４２によってＩＣカード１の発行の適否が判定され、判定結果はＩＣカード用書込機能付プリンタ１５へ送られる。
【００２９】
次にＩＣカード用書込機能付プリンタ１５について図２により更に詳述する。
【００３０】
図２に示すようにＩＣカード用書込機能付プリンタ１５は、ケーシング２０と、ケーシング２０内上方に設けられＩＣカード１を積層して収納するＩＣカードホッパ２１と、ＩＣカードホッパ２１からのＩＣカード１を搬送する第１搬送ライン３２と、第１搬送ライン３２に沿って配置されＩＣカード１の表面２に顔画像情報２ｂを印字するＹ印刷部２２、Ｍ印刷部２３およびＣ印刷部２４とを有している。このうちＹ印刷部２２はＩＣカード１の表面２にイエロー印刷を施すものであり、Ｍ印刷部２３はＩＣカード１の表面２にマゼンタ印刷を施すものであり、Ｃ印刷部２４はＩＣカード１の表面２にシアン印刷を施すものである。
【００３１】
またＣ印刷部２４の下流側には、Ｙ印刷部２２、Ｍ印刷部２３およびＣ印刷部２４によって印刷されたインキをＩＣカード１の表面２に定着させるインキ定着部２５が設けられ、さらにインキ定着部２５の下流側にはＩＣカード１の表面２に表面情報２ａおよびＩＤ情報２ｃからなる文字情報２ａ，２ｃを印字する表面印字部２６が設けられている。
【００３２】
表面印字部２６を通過したＩＣカード１は第１搬送ライン３２から第１リーダライタ２７および裏面印字部２８へ送られた後、ケーシング２０下方にある第２搬送ライン３３へ送られる。
【００３３】
このうち、第１リーダライタ２７は、ＩＣカード１のＩＣチップ１ａに表面情報２ａ、裏面情報３ａおよびＩＤ情報２ｃを書込むものであり、裏面印字部２８はＩＣカード１の表面２に裏面情報３ａを印字するものである。また第１リーダライタ２７には、ＩＣカード発行判定部４２においてカード発行を行わないと判断した場合、当該ＩＣカード１を破砕するカード破砕部２７ａが接続されている。
【００３４】
さらに第２搬送ライン３３に沿って、ＩＣカード１の表面２上にホログラム層（図示せず）を設けるホログラム層形成部２９が設けられ、ホログラム層形成部２９の下流側に保護シート（図示せず）を設ける保護シート形成部３０が設けられている。
【００３５】
また第２搬送ライン３３の下流側には、表面情報２ａ、顔画像情報２ｂ、ＩＤ情報２ｃが表面２に印字され、裏面情報３ａが裏面３に印字され、かつ表面情報２ａ、裏面情報３ａおよびＩＤ情報２ｃが書込まれたＩＣカード１を受け取り、第１集積部３５ａ、第２集積部３５ｂまたは裏面印字集積部３６へＩＣカード１を振分ける振分け機構３４が設けられている。
【００３６】
このうち第１集積部３５ａ、第２集積部３５ｂは、裏面３に対して印字する必要のないＩＣカード１をＩＣカード１の種類に基づいて集積するものであり、裏面印字集積部３６は、ＩＣカード１の裏面３に対して必要な裏面情報３ａが印字されたＩＣカード１を集積するものである。
【００３７】
第１集積部３５ａ、第２集積部３５ｂまたは裏面印字集積部３６を経たＩＣカード１は、その後第２リーダライタ（確認用リーダライタ）１７側へ送られる。
【００３８】
なお、ＩＣカード用書込機能付プリンタ１５における構成部分は、プリンタ制御部１５Ａにより駆動制御される。また上述した表裏面情報出力部１４およびＩＣカード発行判定部４２はプリンタ制御部１５Ａ内に内蔵されている。さらに、ＩＣカード用書込機能付プリンタ１５において、表面印字部２６より下流側に位置する第１リーダライタ２７、裏面印字部２８、ホログラム層形成部２９、保護シート形成部３０、振分け機構３４、第１集積部３５ａ、第２集積部３５ｂおよび裏面印字集積部３６によって下流側処理部が構成されている。
【００３９】
次にこのような構成からなる本実施の形態の作用について、図１乃至図４を用いて説明する。
【００４０】
まずＩＣカード１に対して印字しかつ書込む必要のある個人のＩＤ情報２ｃがＩＤ情報入力部１１から入力され、ＩＤ情報入力部１１から入力されたＩＤ情報２ｃはデータベース１２および顔画像情報生成部１３へ送られる。
【００４１】
ここでＩＤ情報入力部１１としては、個人のＩＤ情報２ｃが記載された用紙を読取るＯＣＲ等が考えられる。すなわち各個人は用紙にＩＤ情報２ｃ（ＩＤ番号、氏名、生年月日、住所等のＩＤ情報）を記入し、ＯＣＲからなるＩＤ情報入力部１１により用紙に記入されたＩＤ番号、氏名、生年月日、住所等のＩＤ情報を読取るようになっている。
【００４２】
ＩＤ情報２ｃがデータベース１２へ送られると、データベース１２内でＩＤ情報２ｃに対応する表面情報２ａおよび裏面情報３ａが集められ、これら表面情報２ａおよび裏面情報３ａがＩＤ情報２ｃとともに表裏面情報出力部１４へ送られる。ここで表面情報２ａは個人の氏名、住所等の情報を含み、裏面情報３ａは詳細な住所情報を含む。
【００４３】
同時に顔画像情報生成部１３では、個人の顔画像がカメラ等により撮影され、顔画像情報２ｂが生成されるとともに、生成された顔画像情報２ｂはＩＤ情報２ｃとともに、表裏面情報出力部１４へ送られる。
【００４４】
表裏面情報出力部１４は、次に表面情報２ａ、裏面情報３ａおよび顔画像情報２ｂをＩＤ情報２ｃとともに、ＩＣカード用書込機能付プリンタ１５へ送る。その後ＩＣカード用書込機能付プリンタ１５内においてＩＣカード１の表面２に表面情報２ａ、ＩＤ情報２ｃおよび顔画像情報２ｂが印字され、裏面３に裏面情報３ａが印字され、かつＩＣチップ１ａ内に表面情報２ａおよび裏面情報３ａが書込まれる。
【００４５】
次にＩＣカード用書込機能付プリンタ１５内における作用について詳述する。
【００４６】
まず、印字および書込みがなされていないＩＣカード１がＩＣカードホッパ２１内に積層して集積されている。次に、表裏面情報出力部１４内へ各種情報が入力される前に、プリンタ制御部１５ＡがＩＣカードホッパ２１を駆動制御して、ＩＣカードホッパ２１から印字および書込みがなされていないＩＣカード１を出口２１ａまで排出させた後、ＩＣカード１を待機させる。
【００４７】
次に表裏面情報出力部１４内へ表面情報２ａ、裏面情報３ａ、顔画像情報２ｂが入力させると、プリンタ制御部１５Ａは第１搬送ライン３２を駆動する。このことによりＩＣカード１は搬送ライン３２に沿って搬送される。
【００４８】
第１搬送ライン３２に沿ってＩＣカード１が搬送される際、このＩＣカード１の表面２に対してＹ印刷部２２、Ｍ印刷部２３およびＣ印刷部２４によって、各々イエロー印刷、マゼンタ印刷、およびシアン印刷が施され、このようにしてＩＣカード１の表面２に顔画像情報２ｂが印字される。なお、Ｙ印刷部２２、Ｍ印刷部２３およびＣ印刷部２４によって画像情報印字部が構成される。
【００４９】
次にＩＣカード１は第１搬送ライン３２によってインキ定着部２５へ送られ、このインキ定着部２５においてＹ印刷部２２、Ｍ印刷部２３およびＣ印刷部２４によって印字された顔画像情報２ｂのインキがＩＣカード１の表面２に定着される。
【００５０】
その後ＩＣカード１は第１搬送ライン３２によって表面印字部（文字情報印字部）２６に送られ、この表面印字部２６においてＩＣカード１の表面２に表面情報２ａおよびＩＤ情報２ｃが印字される。
【００５１】
表面印字部２６においてＩＣカード１の表面２に表面情報２ａおよびＩＤ情報２ｃが印字された後、プリンタ制御部１５ＡはＩＣカード１を表面印字部２６の出口側で待機させる。
【００５２】
この間、ＩＣカード１の発行を希望する各個人に対してＩＣカード１を発行すべきか否か個別の審査が行われる。そして追加ＩＤ情報入力部４１にはＩＣカード１を発行すべきか否かの判定に関する情報が入力され、追加ＩＤ情報入力部４１からの情報はＩＣカード発行判定部４２に送られる。
【００５３】
そしてＩＣカード発行判定部４２によってＩＣカード１の発行が適切である、と判断された場合、プリンタ制御部１５ＡはＩＣカード１を表面印刷部２６の出口側から第１搬送ライン３２によって第１リーダライタ２７に送り、ＩＣカード１に対して第１リーダライタ２７による処理が施される。
【００５４】
他方、ＩＣカード発行判定部４２によってＩＣカード１の発行が不適切である、と判断された場合、プリンタ制御部１５ＡはＩＣカード１を表面印字部２６の出口側から第１搬送ライン３２によって第１リーダライタ２７に送り、第１リーダライタ２７による処理を行うことなく、当該ＩＣカード１をカード破砕部２７ａによって破砕する。
【００５５】
発行が適切と判断されたＩＣカード１は第１搬送ライン３２から第１リーダライタ２７へ送られ、この第１リーダライタ２７においてＩＣカード１のＩＣチップ１ａに対して表面情報２ａ、裏面情報３ａおよびＩＤ情報２ｃが書込まれる。その後ＩＣカード１は、裏面印字部２８へ送られ、この裏面印字部２８においてＩＣカード１の裏面３に裏面情報３ａが印字される。
【００５６】
このようにして表面情報２ａ、顔画像情報２ｂ、ＩＤ情報２ｃが表面２に印字され、裏面情報３ａが裏面３に印字され、かつＩＣチップ１ａに表面情報２ａ、ＩＤ情報２ｃ、および裏面情報３ａが書込まれたＩＣカード１は、その後第２搬送ライン３３に沿って搬送されてホログラム層形成部２９へ送られ、このホログラム層形成部２９においてＩＣカード１の表面にホログラム層が形成される。次にＩＣカード１は第２搬送ライン３３に沿って保護シート形成部３０へ送られ、この保護シート形成部３０においてＩＣカード１上に保護シートが形成される。
【００５７】
なお、ＩＣカード１の裏面３に印字したりＩＣチップ１ａに書込むべき裏面情報３ａがない場合、裏面３に裏面情報３ａが印字されることはなく、かつＩＣチップ１ａ内に裏面情報３ａが書込まれることはなく、ＩＣカード１は裏面印字部２８を通過する。
【００５８】
次にＩＣカード１は第２搬送ライン３３により搬送され、振分け機構３４に達する。ＩＣカード１はこの振分け機構３４により振分けられ、ＩＣカード１のうち、表面２のみに表面情報２ａ、顔画像情報２ｂおよびＩＤ情報２ｃが印字され、裏面３には裏面情報３ａが印字されていないＩＤカード１は第１集積部３５ａ、第２集積部３５ｂへ送られる。
【００５９】
他方、表面２に表面情報２ａ、顔画像情報２ｂおよびＩＤ情報２ｃが印字され、裏面３にも裏面情報３ａが印字されたＩＤカード１は裏面印字集積部３６へ送られる。
【００６０】
このようにしてＩＣカード用書込機能付プリンタ１５によって、ＩＣカード１に対する印字および書込作業が終了し、印字および書込済のＩＣカード１が得られる（図１の符号１６）。
【００６１】
なお、上述のようにＩＣカード用書込機能付プリンタ１５における各構成部分は、プリンタ制御部１５Ａにより駆動制御される。
【００６２】
このようにＩＣカード用書込機能付プリンタ１５によって印字および書込みが行なわれたＩＣカード１は、次に第２リーダライタ１７へ送られ、この第２リーダライタ１７において、ＩＣカード１のＩＣチップ１ａ内に書込まれた表面情報２ａ、裏面情報３ａおよびＩＤ情報２ｃが読み取られる。第２リーダライタ１７には、表裏面情報出力部１４から表面情報２ａ、裏面情報３ａおよびＩＤ情報２ｃが送られてきており、第２リーダライタ１７は表裏面情報出力部１４からの情報を参照しながらＩＣチップ１ａ内に正しく情報が書込まれているか否か判定し、正しく情報が書込まれていない場合、ＩＣチップ１ａ内に正しい情報を書き込む。
【００６３】
次に第２リーダライタ１７を経たＩＣカード１は、追記情報ラベル発行部１８に送られる。この追記情報ラベル発行部１８では、ＩＣカード１のＩＣチップ１ａから裏面情報３ａを読み取り、裏面情報３ａのうちＩＣカード１の裏面に印字できない追記情報５ａを印字して追記情報ラベル５を作製し発行する。このようにして得られた追記情報ラベル５は、その後ＩＣカード１の裏面３の所望位置に貼付される。
【００６４】
この場合、追加情報ラベル発行部１８において、ＩＣカード１のＩＣチップ１ａからＩＤ情報２ｃを読み取り、このＩＤ情報２ｃに対応する追記情報５ａを表裏面情報出力部１４から取得して、追加情報５ａを印字することにより追加情報ラベル５を作製し発行してもよい。
【００６５】
このようにして表面情報２ａ、顔画像情報２ｂおよびＩＤ情報２ｃが表面２に印字され、裏面情報３ａが裏面３に印字され、表面情報２ａ、裏面情報３ａおよびＩＤ情報２ｃがＩＣチップ１ｃに書込まれ、追記情報ラベル５が裏面３に貼付されたＩＣカード１を精度良くかつ効率良く作製することができる。
【００６６】
以上のように本実施の形態によれば、プリンタ制御部１５Ａの表裏面情報入力部１４内へ必要な情報が入力される前に予めＩＣカードホッパ２１内のＩＣカード１をＩＣカードホッパ２１の出口２１ａまで排出させて待機させておくので、表裏面情報入力部１４内へ必要な情報が入力された後にＩＣカードホッパ２１内のＩＣカード１を排出する場合に比べて作業効率を向上させることができる。またＩＣカード１に対して画像印字部２２，２３，２４によって顔画像情報２ｂが印字され、かつ表面印字部２６によって表面情報２ａおよびＩＤ情報２ｃが印字されたＩＣカード１を一旦待機させておき、ＩＣカード発行判定部４２によってＩＣカード１の発行が適切と判定された場合にＩＣカード１に対して後工程における処理を施している。
【００６７】
このためＩＣカード１の発行が適切か否か各個人に対して審査を行い、発行が適切であると判断した後にＩＣカード１に対して顔画像情報２ｂを印字し、かつ表面情報２ａおよびＩＤ情報２ｃを印字する場合に比較して、ＩＣカード１を作製する際の作業効率が格段に向上する。
【００６８】
第２の実施の形態
次に本発明の第２の実施の形態について図４乃至図６により説明する。
【００６９】
なお、図４乃至図６に示す第２の実施の形態において、図１乃至図３に示す第１の実施の形態と同一部分には同一符号を符して詳細な説明は省略する。
【００７０】
第２の実施の形態によるＩＣカードの印字システム１０は図１に示すように、ＩＣカードの印字、書込みを行なう必要がある個人のＩＤ情報２ｃが入力されるＩＤ情報入力部１１と、多数の個人の表面情報２ａおよび裏面情報３ａがＩＤ情報２ｃとともに蓄えられ、ＩＤ情報入力部１１からのＩＤ情報２ｃに基づいて、当該ＩＤ情報に対応する個人のＩＤ情報２ｃ、表面情報２ａ、および裏面情報３ａを出力するデータベース１２と、ＩＤ情報入力部１１からのＩＤ情報２ｃに基づいて、このＩＤ情報２ｃに対応した顔画像情報２ｂを生成する顔画像生成手段１３とを備えている。
【００７１】
このうち顔画像生成手段１３はカメラ等の撮影装置、または予め作成された顔画像を電子データとして取込んで顔画像情報を生成する装置からなっている。
【００７２】
またデータベース１２および顔画像情報生成部１３に、データベース１２からのＩＤ情報２ｃに対応する表面情報２ａおよび裏面情報３ａが送られるとともに、顔画像情報生成部１３からの顔画像情報２ｂが送られる表裏面情報出力部１４が接続され、さらに表裏面情報出力部１４に、ＩＤ情報２ｃ、表面情報２ａ、裏面情報３ａ、および顔画像情報２ｂに基づいて、ＩＣカード１の表面２に表面情報２ａ、顔画像情報２ｂおよびＩＤ情報２ｃを印字するとともに、ＩＣカード１の裏面３に裏面情報３ａを印字するＩＣカード用書込機能付プリンタ１５が接続されている。
【００７３】
このＩＣカード用書込機能付プリンタ１５においては、ＩＣカード１のＩＣチップ１ａ内に、表面情報２ａおよび裏面情報３ａが書込まれる。
【００７４】
さらにＩＣカード用書込機能付プリンタ１５の下流側には、ＩＣカード１のＩＣチップ１ａ内に書き込まれた表面情報２ａおよび裏面情報３ａを読み取ってその内容を確認する第２リーダライタ（確認用リーダライタ）１７が接続されている。
【００７５】
さらにこの第２リーダライタ１７には、ＩＣカード１のＩＣチップ１ａから裏面情報３ａを読み取り、裏面情報３ａのうちＩＣカード１の裏面３に印字できない追記情報５ａを印字して追記情報ラベル５を作製するとともに、この追記情報ラベル５を発行する追記情報ラベル発行部１８が接続されている。
【００７６】
また上述したＩＤ情報入力部１１とは独立して、追加ＩＤ情報入力部４１が設けられている。この追加ＩＤ情報入力部４１にはＩＣカード１を発行すべきか否かの判定に関する情報が入力され、追加ＩＤ情報入力部４１からの情報はＩＣカード発行判定部４２に送られる。そしてＩＣカード発行判定部４２によってＩＣカード１の発行の適否が判定され、判定結果はＩＣカード用書込機能付プリンタ１５へ送られる。
【００７７】
次にＩＣカード用書込機能付プリンタ１５について図２により更に詳述する。
【００７８】
図２に示すようにＩＣカード用書込機能付プリンタ１５は、ケーシング２０と、ケーシング２０内上方に設けられＩＣカード１を積層して収納するＩＣカードホッパ２１と、ＩＣカードホッパ２１からのＩＣカード１を搬送する第１搬送ライン３２と、第１搬送ライン３２に沿って配置されＩＣカード１のＩＣチップ１ａに表面情報２ａ、裏面情報３ａおよびＩＤ情報２ｃを書込む第１リーダライタ２７と、第１リーダライタ２７の下流側に配置されＩＣカード１の表面２に顔画像情報２ｂと表面情報２ａとＩＤ情報２ｃとを印字する転写プリント部４５とを有している。
【００７９】
このうち、転写プリント部４５は、図６に示すように、転写リボン４６ｃを供給する供給ロール４６ａと、転写リボン４６ｃを巻取る巻取ロール４６ｂと、転写リボン４６ｃを支持する支持ロール４７とを有している。そして転写プリント部４５において、印字部４８により転写リボン４６ｃを用いて、表面情報２ａ、ＩＤ情報２ｃおよび顔画像情報２ｂが転写シート４９に印字され、このようにして表面情報２ａ、ＩＤ情報２ｃおよび顔画像情報２ｂを含む転写シート４９が得られる。
【００８０】
その後、転写シート４９はＩＣカード１の表面２上に重ねられ、転写シート４９からＩＣカード１の表面２に表面情報２ａ、ＩＤ情報２ｃおよび顔画像情報２ｂが転写される。この場合、表面情報２ａおよびＩＤ情報２ｃにより、文字情報が構成される。
【００８１】
転写プリント部４５を通過したＩＣカード１は第１搬送ライン３２から裏面印字部２８へ送られた後、ケーシング２０下方にある第２搬送ライン３３へ送られる。
【００８２】
このうち、裏面印字部２８はＩＣカード１の表面２に裏面情報３ａを印字するものである。また転写プリント部４５には、ＩＣカード発行判定部４２においてカード発行を行わないと判断した場合、転写プリント部４５で作製された転写シート４９を破砕する転写シートは細部４５ａが接続されている。
【００８３】
さらに第２搬送ライン３３に沿って、ＩＣカード１の表面２上にホログラム層（図示せず）を設けるホログラム層形成部２９が設けられ、ホログラム層形成部２９のの下流側に保護シート（図示せず）を設ける保護シート形成部３０が設けられている。
【００８４】
また第２搬送ライン３３の下流側には、表面情報２ａ、顔画像情報２ｂ、ＩＤ情報２ｃが表面２に印字され、裏面情報３ａが裏面３に印字され、かつ表面情報２ａ、裏面情報３ａおよびＩＤ情報２ｃが書込まれたＩＣカード１を受け取り、第１集積部３５ａ、第２集積部３５ｂまたは裏面印字集積部３６へＩＣカード１を振分ける振分け機構３４が設けられている。
【００８５】
このうち第１集積部３５ａ、第２集積部３５ｂは、裏面３に対して印字する必要のないＩＣカード１をＩＣカード１の種類に基づいて集積するものであり、裏面印字集積部３６は、ＩＣカード１の裏面３に対して必要な裏面情報３ａが印字されたＩＣカード１を集積するものである。
【００８６】
第１集積部３５ａ、第２集積部３５ｂまたは裏面印字集積部３６を経たＩＣカード１は、その後第２リーダライタ（確認用リーダライタ）１７側へ送られる。
【００８７】
なお、ＩＣカード用書込機能付プリンタ１５における構成部分は、プリンタ制御部１５Ａにより駆動制御される。また上述した表裏面情報出力部１４およびＩＣカード発行判定部４２はプリンタ制御部１５Ａ内に内蔵されている。さらに、ＩＣカード用書込機能付プリンタ１５において、転写プリント部４５より下流側に位置する裏面印字部２８、ホログラム層形成部２９、保護シート形成部３０、振分け機構３４、第１集積部３５ａ、第２集積部３５ｂおよび裏面印字集積部３６によって下流側処理部が構成されている。
【００８８】
次にこのような構成からなる本実施の形態の作用について、図１乃至図４を用いて説明する。
【００８９】
まずＩＣカード１に対して印字しかつ書込む必要のある個人のＩＤ情報２ｃがＩＤ情報入力部１１から入力され、ＩＤ情報入力部１１から入力されたＩＤ情報２ｃはデータベース１２および顔画像情報生成部１３へ送られる。
【００９０】
ここでＩＤ情報入力部１１としては、個人のＩＤ情報２ｃが記載された用紙を読取るＯＣＲ等が考えられる。すなわち各個人は用紙にＩＤ情報２ｃ（ＩＤ番号、氏名、生年月日、住所等のＩＤ情報）を記入し、ＯＣＲからなるＩＤ情報入力部１１により用紙に記入されたＩＤ番号、氏名、生年月日、住所等のＩＤ情報を読取るようになっている。
【００９１】
ＩＤ情報２ｃがデータベース１２へ送られると、データベース１２内でＩＤ情報２ｃに対応する表面情報２ａおよび裏面情報３ａが集められ、これら表面情報２ａおよび裏面情報３ａがＩＤ情報２ｃとともに表裏面情報出力部１４へ送られる。ここで表面情報２ａは個人の氏名、住所等の情報を含み、裏面情報３ａは詳細な住所情報を含む。
【００９２】
同時に顔画像情報生成部１３では、個人の顔画像がカメラ等により撮影され、顔画像情報２ｂが生成されるとともに、生成された顔画像情報２ｂはＩＤ情報２ｃとともに、表裏面情報出力部１４へ送られる。
【００９３】
表裏面情報出力部１４は、次に表面情報２ａ、裏面情報３ａおよび顔画像情報２ｂをＩＤ情報２ｃとともに、ＩＣカード用書込機能付プリンタ１５へ送る。その後ＩＣカード用書込機能付プリンタ１５内においてＩＣカード１の表面２に表面情報２ａ、ＩＤ情報２ｃおよび顔画像情報２ｂが印字され、裏面３に裏面情報３ａが印字され、かつＩＣチップ１ａ内に表面情報２ａおよび裏面情報３ａが書込まれる。
【００９４】
次にＩＣカード用書込機能付プリンタ１５内における作用について詳述する。
【００９５】
まず、印字および書込みがなされていないＩＣカード１がＩＣカードホッパ２１内に積層して集積されている。次に表裏面情報出力部１４内へ各種情報が入力される前に、プリンタ制御部１５ＡがＩＣカードホッパ２１を駆動制御して、ＩＣカードホッパ２１から印字および書込みがなされていないＩＣカード１を出口２１ａまで排出させた後、ＩＣカード１を待機させる。
【００９６】
次に表裏面情報出力部１４内へ表面情報２ａ、裏面情報３ａ、顔画像情報２ｂが入力させると、プリンタ制御部１５Ａは第１搬送ライン３２を駆動する。このことによりＩＣカード１は搬送ライン３２に沿って搬送される。
【００９７】
第１搬送ライン３２によりＩＣカード１はまず第１リーダライタ２７に送られ、この第１リーダライタ２７において、ＩＣカード１は一旦待機する。
【００９８】
次に転写プリント部４５において、印字部４８により転写リボン４６ｃを用いて表面情報２ａ、ＩＤ情報２ｃおよび顔画像情報２ｂが転写シート４９に印字される。このようにして表面情報２ａ、ＩＤ情報２ｃおよび顔画像情報２ｂを含む転写シート４９が得られる。
【００９９】
この間、ＩＣカード１の発行を希望する各個人に対してＩＣカード１を発行すべきか否か個別の審査が行われる。そして追加ＩＤ情報入力部４１にはＩＣカード１を発行すべきか否かの判定に関する情報が入力され、追加ＩＤ情報入力部４１からの情報はＩＣカード発行判定部４２に送られる。
【０１００】
そしてＩＣカード発行判定部４２によってＩＣカード１の発行が適切である、と判断された場合、プリンタ制御部１５Ａは第１リーダライタ２７を制御して、この第１リーダライタ２７においてＩＣカード１のＩＣチップ１ａに対して表面情報２ａ、裏面情報３ａおよびＩＤ情報２ｃが書込まれる。次にＩＣカード１は第１搬送ライン３２によって、転写プリント部４５へ送られる。次にプリンタ制御部１５Ａは転写プリント部４５を制御して、ＩＣカード１の表面２上に転写シート４９を重ね、転写シート４９上の表面情報２ａ、ＩＤ情報２ｃおよび顔画像情報２ｂをＩＣカード１の表面２上に転写する。
【０１０１】
他方、ＩＣカード発行判定部４２によってＩＣカード１の発行が不適切である、と判断された場合、ＩＣカード１は第１リーダライタ２７において情報２ａ，３ａ，２ｃが書込まれることはなく、かつ転写シート４９上の表面情報２ａ、ＩＤ情報２ｃおよび顔画像情報２ｂがＩＣカード１の表面２上に転写されることはなく、当該転写シート４９は転写シート破砕部４５ａによって破砕される。このようにＩＣカード１に対して情報２ａ，３ａ，２ｃが書込まれることはなく、かつＩＣカード１の表面２上に表面情報２ａ、ＩＤ情報２ｃおよび顔画像情報２ｂが転写されない場合、このＩＣカード１は回収されて再利用される。
【０１０２】
発行が適切と判断されたＩＣカード１は第１搬送ライン３２から裏面印字部２８へ送られ、この裏面印字部２８においてＩＣカード１の裏面３に裏面情報３ａが印字される。
【０１０３】
このようにして表面情報２ａ、顔画像情報２ｂ、ＩＤ情報２ｃが表面２に印字され、裏面情報３ａが裏面３に印字され、かつＩＣチップ１ａに表面情報２ａ、ＩＤ情報２ｃ、および裏面情報３ａが書込まれたＩＣカード１は、その後第２搬送ライン３３に沿って搬送されてホログラム層形成部２９へ送られ、このホログラム層形成部２９においてＩＣカード１の表面にホログラム層が形成される。次にＩＣカード１は第２搬送ライン３３に沿って保護シート形成部３０へ送られ、この保護シート形成部３０においてＩＣカード１上に保護シートが形成される。
【０１０４】
なお、ＩＣカード１の裏面３に印字したりＩＣチップ１ａに書込むべき裏面情報３ａがない場合、裏面３に裏面情報３ａが印字されることはなく、かつＩＣチップ１ａ内に裏面情報３ａが書込まれることはなく、ＩＣカード１は裏面印字部２８を通過する。
【０１０５】
次にＩＣカード１は第２搬送ライン３３により搬送され、振分け機構３４に達する。ＩＣカード１はこの振分け機構３４により振分けられ、ＩＣカード１のうち、表面２のみに表面情報２ａ、顔画像情報２ｂおよびＩＤ情報２ｃが印字され、裏面３には裏面情報３ａが印字されていないＩＤカード１は第１集積部３５ａ、第２集積部３５ｂへ送られる。
【０１０６】
他方、表面２に表面情報２ａ、顔画像情報２ｂおよびＩＤ情報２ｃが印字され、裏面３にも裏面情報３ａが印字されたＩＤカード１は裏面印字集積部３６へ送られる。
【０１０７】
このようにしてＩＣカード用書込機能付プリンタ１５によって、ＩＣカード１に対する印字および書込作業が終了し、印字および書込済のＩＣカード１が得られる（図１の符号１６）。
【０１０８】
なお、上述のようにＩＣカード用書込機能付プリンタ１５における各構成部分は、プリンタ制御部１５Ａにより駆動制御される。
【０１０９】
このようにＩＣカード用書込機能付プリンタ１５によって印字および書込みが行なわれたＩＣカード１は、次に第２リーダライタ１７へ送られ、この第２リーダライタ１７において、ＩＣカード１のＩＣチップ１ａ内に書込まれた表面情報２ａ、裏面情報３ａおよびＩＤ情報２ｃが読み取られる。第２リーダライタ１７には、表裏面情報出力部１４から表面情報２ａ、裏面情報３ａおよびＩＤ情報２ｃが送られてきており、第２リーダライタ１７は表裏面情報出力部１４からの情報を参照しながらＩＣチップ１ａ内に正しく情報が書込まれているか否か判定し、正しく情報が書込まれていない場合、ＩＣチップ１ａ内に正しい情報を書き込む。
【０１１０】
次に第２リーダライタ１７を経たＩＣカード１は、追記情報ラベル発行部１８に送られる。この追記情報ラベル発行部１８では、ＩＣカード１のＩＣチップ１ａから裏面情報３ａを読み取り、裏面情報３ａのうちＩＣカード１の裏面に印字できない追記情報５ａを印字して追記情報ラベル５を作製し発行する。このようにして得られた追記情報ラベル５は、その後ＩＣカード１の裏面３の所望位置に貼付される。
【０１１１】
この場合、追加情報ラベル発行部１８において、ＩＣカード１のＩＣチップ１ａからＩＤ情報２ｃを読み取り、このＩＤ情報２ｃに対応する追記情報５ａを表裏面情報出力部１４から取得して、追加情報５ａを印字することにより追加情報ラベル５を作製し発行してもよい。
【０１１２】
このようにして表面情報２ａ、顔画像情報２ｂおよびＩＤ情報２ｃが表面２に印字され、裏面情報３ａが裏面３に印字され、表面情報２ａ、裏面情報３ａおよびＩＤ情報２ｃがＩＣチップ１ｃに書込まれ、追記情報ラベル５が裏面３に貼付されたＩＣカード１を精度良くかつ効率良く作製することができる。
【０１１３】
以上のように本実施の形態によれば、プリンタ制御部１５Ａの表裏面情報入力部１４内へ必要な情報が入力される前に予めＩＣカードホッパ２１内のＩＣカード１をＩＣカードホッパ２１の出口２１ａまで排出させて待機させておくので、表裏面情報入力部１４内へ必要な情報が入力された後にＩＣカードホッパ２１内のＩＣカード１を排出する場合に比べて作業効率を向上させることができる。またＩＣカード１のＩＣチップに対して表面情報２ａおよびＩＤ情報２ｃを第１リーダライタ２７によって書込み、次に転写プリント部４５において転写シート４９を作製した後、ＩＣカード１を一旦待機させておき、ＩＣカード発行判定部４２によってＩＣカード１の発行が適切と判定された場合にＩＣカード１に対して転写シート４９によって表面情報２ａ、ＩＤ情報２ｃおよび顔画像情報２ｂを転写し、その後更に後工程における処理を施している。
【０１１４】
このためＩＣカード１の発行が適切か否か各個人に対して審査を行い、発行が適切であると判断した後にＩＣカード１に対して第１リーダライタ２７による作業を開始し、かつ転写プリント部４５による作業を開始する場合に比較して、ＩＣカード１を作製する際の作業効率が格段に向上する。
【０１１５】
なお上記各実施の形態において、ＩＣチップを有するＩＣカードに対して情報を書込み、印字する例を示したが、これに限らずＩＣチップを含まない非ＩＣカードに対して第１リーダライタ２７あるいは第２リーダライタ１７において情報を書込むことなく、印字することにより非ＩＣカードを作製してもよい。
【符号の説明】
【０１１６】
１０  カードの印字システム
１１  ＩＤ情報入力部
１２  データベース
１３  顔画像情報生成部
１４  表裏面情報出力部
１５  ＩＣカード用書込機能付プリンタ
１５Ａ  プリンタ制御部
１７  確認用リーダライタ
１８  追記情報ラベル発行部
２７  第１リーダライタ
２７ａ  カード破砕部
２９  ホログラム層形成部
３０  保護シート形成部
４１  追加ＩＤ情報入力部
４２  ＩＣカード発行判定部
４５  転写プリント部
４５ａ  転写シート破砕部
４６ａ  供給ロール
４６ｂ  巻取ロール
４６ｃ  転写リボン
４７  支持ロール
４８  印字部
４９  転写シート
【図１】
2011088291.tif 000003
【図２】
2011088291.tif 000004
【図３】
2011088291.tif 000005
【図４】
2011088291.tif 000006
【図５】
2011088291.tif 000007
【図６】
2011088291.tif 000008